(57)【要約】【課題】コイルに発生する熱を小さな負荷で効率よく排熱することができるキャンドモータポンプを提供すること。【解決手段】回転子１２は、固定軸１３を包囲する態様で流通経路２４が形成されており回転子１２の両端面は流通経路２４によって軸方向に貫かれている。流通経路２４のポンプ部側と反ポンプ部側には、流通経路２４の側面をさらに凹設して形成されたポンプ部側軸受収容部２４ａ及び反ポンプ部側軸受収容部２４ｂがそれぞれ形成されている。回転子１２は、ポンプ部側軸受収容部２４ａ及び反ポンプ部側軸受収容部２４ｂに収容されるポンプ部側軸受２１及び反ポンプ部側軸受２２によって固定軸１３に対して回転可能に支持される。また、流通経路２４の反ポンプ部側軸受収容部のポンプ部側には、インペラ収容部２４ｃが形成されており循環用インペラ２３が回転子１２に固定されている。【選択図】      図２
2006214407.tif 000002
【特許請求の範囲】
【請求項１】
流体を圧送するインペラが配設されるポンプ室を備えたポンプ部と、前記インペラを駆動するキャンドモータ部と、から構成されるキャンドモータポンプであって、
前記キャンドモータ部は、固定子と、回転子と、前記回転子を支持する固定軸と、前記回転子と前記固定子とを分離し前記回転子側に前記流体が流入される筒体と、前記回転子の回転にともなって前記流体を軸方向に圧送する循環用インペラとを備え、
前記回転子は、前記固定軸に対して回転可能に支持される回転支持部と、軸方向に貫通された流通経路とを備える
ことを特徴とするキャンドモータポンプ。
【請求項２】
請求項１に記載のキャンドモータポンプにおいて、
前記流通経路は、前記固定軸と同軸的に形成され、
前記循環用インペラは、前記流通経路内に配設される
ことを特徴とするキャンドモータポンプ。
【請求項３】
請求項１又は２に記載のキャンドモータポンプにおいて、
前記循環用インペラは、吸入側では負圧を発生させ、吐出側では正圧を発生させる
ことを特徴とするキャンドモータポンプ。
【請求項４】
請求項２又は３に記載のキャンドモータポンプにおいて、
前記回転支持部は、軸方向において前記流通経路内に配設される
ことを特徴とするキャンドモータポンプ。
【請求項５】
請求項１〜４の何れか１項に記載のキャンドモータポンプにおいて、
前記回転支持部は、前記流体によって潤滑される潤滑面を備え、
前記潤滑面は、軸方向一方側から他方側に延びる溝を有する
ことを特徴とするキャンドモータポンプ。
【請求項６】
請求項５に記載のキャンドモータポンプにおいて、
前記溝は、前記固定軸の軸方向に直線状に形成されている
ことを特徴とするキャンドモータポンプ。
【請求項７】
請求項５に記載のキャンドモータポンプにおいて、
前記溝は、前記回転支持部の回転にともなって前記流体を軸方向に促すよう形成されている
ことを特徴とするキャンドモータポンプ。
【請求項８】
請求項７に記載のキャンドモータポンプにおいて、
前記溝は、前記固定軸に対して傾斜する
ことを特徴とするキャンドモータポンプ。
【請求項９】
請求項８に記載のキャンドモータポンプにおいて、
前記溝は、螺旋状に形成される
ことを特徴とするキャンドモータポンプ。
【発明の詳細な説明】
【技術分野】
【０００１】
本発明はキャンドモータポンプに関する。
【背景技術】
【０００２】
従来、流体を圧送するポンプにキャンドモータを駆動源としたキャンドモータポンプがある。
キャンドモータの固定子と回転子とは、回転子と同軸的に配設され回転子側の領域がポンプ室内と連通する薄肉円筒状に形成された筒体によって分離されており、回転子は筒体内に満たされた流体中で回転する。よって、ポンプ部とモータ部とをパッキングやメカニカルシールなどでシールする必要がなく液漏れのおそれがない構成となっている。回転子の回転を支持する軸受の潤滑はポンプ室から筒体内に供給される流体によって維持されている。また、筒体内の流体を循環させることにより軸受周辺に発生した熱が排熱される。すなわち、筒体内を循環経路として流体を循環させることにより軸受けの潤滑の維持とモータの冷却とが行われる。
【０００３】
このようなキャンドモータを用いたキャンドモータポンプとして、例えば特許文献１に開示されているように、コイル及び軸受を冷却するために筒体内の流体を循環させる循環用インペラを回転子の軸方向一方側に配置し、軸方向他方側に向って流体を圧送する構成を有するものがある。
【特許文献１】特開平９−８８８９４号公報
【発明の開示】
【発明が解決しようとする課題】
【０００４】
しかしながら、このような構成のキャンドモータポンプは、回転子と筒体との間を流体が通過するように構成されている。回転子と筒体との距離は、回転子と固定子との間の磁束の流れを妨げないよう狭い方がよい。このため、回転子と筒体との間の隙間が流体の圧送に対する抵抗となり、回転子の回転軸に固定された循環用インペラに対する負荷となる。つまり回転子の回転に対して負荷となり、ポンプの出力低下を招くおそれがある。また、回転子と筒体との間により圧送される流体が抵抗を受けるため、回転子に対して循環用インペラと反対側に配設された軸受に対して流体を適切に供給することができない。
【０００５】
本発明は、こうした実情に鑑みてなされたものであって、その目的は、筒体内の流体を効率よく循環させることができるキャンドモータポンプを提供することにある。
【課題を解決するための手段】
【０００６】
上記課題を解決するため、請求項１に記載の発明は、流体を圧送するインペラが配設されるポンプ室を備えたポンプ部と、前記インペラを駆動するキャンドモータ部と、から構成されるキャンドモータポンプであって、前記キャンドモータ部は、固定子と、回転子と、前記回転子を支持する固定軸と、前記回転子と前記固定子とを分離し前記回転子側に前記流体が流入される筒体と、前記回転子の回転にともなって前記流体を軸方向に圧送する循環用インペラとを備え、前記回転子は、前記固定軸に対して回転可能に支持される回転支持部と、軸方向に貫通された流通経路とを備える。
【０００７】
また、請求項２に記載の発明は、請求項１に記載のキャンドモータポンプにおいて、前記流通経路は、前記固定軸と同軸的に形成され、前記循環用インペラは、前記流通経路内に配設される。
【０００８】
また、請求項３に記載の発明は、請求項１又は２に記載のキャンドモータポンプにおいて、前記循環用インペラは、吸入側では負圧を発生させ、吐出側では正圧を発生させる。
また、請求項４に記載の発明は、請求項２又は３に記載のキャンドモータポンプにおいて、前記回転支持部は、軸方向において前記流通経路内に配設される。
【０００９】
また、請求項５に記載の発明は、請求項１〜４の何れか１項に記載のキャンドモータポンプにおいて、前記回転支持部は、前記流体によって潤滑される潤滑面を備え、前記潤滑面は、軸方向一方側から他方側に延びる溝を有する。
【００１０】
また、請求項６に記載の発明は、請求項５に記載のキャンドモータポンプにおいて、前記溝は、前記固定軸の軸方向に直線状に形成されている。
また、請求項７に記載の発明は、請求項５に記載のキャンドモータポンプにおいて、前記溝は、前記回転支持部の回転にともなって前記流体を軸方向に促すよう形成されている。
【００１１】
また、請求項８に記載の発明は、請求項７に記載のキャンドモータポンプにおいて、前記溝は、前記固定軸に対して傾斜する。
また、請求項９に記載の発明は、請求項８に記載のキャンドモータポンプにおいて、前記溝は、螺旋状に形成される。
【００１２】
（作用）
請求項１に記載の発明によれば、回転子の軸方向における流体の流路が広くなるため流体の損失抵抗が軽減され流体が軸方向に流れやすくなり、回転子とともに回転する循環用インペラに作用する流体の圧送に対する抵抗が低減される。よって、キャンドモータ部に要求される回転子の回転に対する負荷が低減され、筒体内の流体を効率よく循環させることができる。
【００１３】
請求項２に記載の発明によれば、循環用インペラが流通経路内に配設されるため回転子に妨げられることなく流体を軸方向に圧送することができる。よって、流体を循環させるために要求される負荷を低減することに貢献することができる。また、圧送された流体が回転子に妨げられないため、回転子の軸方向両側にある回転支持部を均等に冷却することに貢献することができる。また、循環用インペラは回転子の軸方向幅内に配設されるため循環用インペラを回転子の軸方向に配設した場合と比較してキャンドモータを短尺化することが可能となりキャンドモータポンプの小型化に貢献することができる。また、回転子の軸方向に循環用インペラを配設したものと比較して循環経路が短尺化されるため流体の損失抵抗が低減され、モータの負荷を低減させることができる。
【００１４】
請求項３に記載の発明によれば、循環用インペラによって流体を循環させることが可能となり、回転支持部の冷却を促進することができる。
請求項４に記載の発明によれば、回転支持部が循環用インペラとともに流通経路内に配設されるため、循環用インペラによって圧送される流体に回転子の回転面の影響を与えることなく回転支持部に直接供給することができる。また、回転支持部が回転子の軸方向幅内に配設されるためキャンドモータ部の短尺化が可能となり、キャンドモータポンプの小型化に貢献することができる。
【００１５】
請求項５に記載の発明によれば、溝が形成されるため、潤滑面においても軸方向に流体を循環させることが可能となる。よって、潤滑面の冷却が促進され潤滑面の潤滑性を向上することができる。また、潤滑面に侵入した異物を排出することが可能となり、潤滑面における異物の噛み込みの発生を妨げることに貢献することができる。
【００１６】
請求項６に記載の発明によれば、溝を容易に形成することができる。
請求項７に記載の発明によれば、潤滑面の流体の循環が促されるため潤滑面上にある摩擦熱などによって加熱された流体を排除することが可能となり潤滑性の向上に貢献することができる。また、潤滑面に侵入した異物の排出が促進されるため、潤滑面における噛み込みの発生を妨げることができる。
【００１７】
請求項８に記載の発明によれば、固定軸に対して傾斜した溝を形成することにより潤滑面に対して流体を供給する面積が増加し潤滑性を向上させることができる。よって、キャンドモータ部に作用する抵抗を低減させることができる。
【００１８】
請求項９に記載の発明によれば、螺旋状の溝を形成することにより潤滑面に対して流体を供給する面積が増加し潤滑性を向上させることができる。よって、キャンドモータ部に作用する抵抗を低減させることができる。
【発明の効果】
【００１９】
本発明によれば、筒体内の流体を効率よく循環させることができるキャンドモータポンプを得ることができる。
【発明を実施するための最良の形態】
【００２０】
以下、本発明を具体化した一実施形態を図面に従って説明する。
図１に示すようにキャンドモータポンプは、キャンドモータ部としてのキャンドモータ１と、流体を圧送するポンプ部２とから構成されている。なお、以下の説明において、図１及び図２において図示状態で右側をポンプ部側とし、左側を反ポンプ部側とする。
【００２１】
まず、ポンプ部２について簡単に説明する。
ポンプ部２は、キャンドモータ１に固定された略円盤状のケーシング３と、ケーシング３の端面から突出する態様で形成された吸入口４と、ケーシング３の径方向に開口する吐出口５と、ケーシング３の略中央に形成され吸入口４及び吐出口５と連通するポンプ室６と、ポンプ室６内に収容されたインペラ７とから構成されている。
【００２２】
キャンドモータ１に通電されることによってインペラ７が回転する。流体は、インペラ７の回転により吸入口４からポンプ室６内に流入し、吐出口５から吐出する。
次に、キャンドモータ１について詳しく説明する。
【００２３】
キャンドモータ１は、有底円筒状に形成されポンプ部側に開口部を備えるハウジング１０と、固定子としてのコア１１と、略円柱状に形成された回転子１２と、回転子１２を回転可能に支持する固定軸１３と、回転子１２とコア１１とを分離する筒体１４とから構成されている。
【００２４】
ハウジング１０は、その開口側をポンプ部２によって閉止されている。また、ハウジング１０の内周側には回転子１２の外周面に対向する態様で固定子としてのコア１１が周方向に等間隔で配設されている。コア１１は図示しない巻線が巻装されており巻線の給電態様が変化することにより回転子１２が回転する。
【００２５】
固定軸１３は、図面左端（基端）がハウジング１０に固定され、回転子１２の端面を貫く態様で該回転子１２を回転可能に支持している。固定軸１３の先端は、ハウジング１０のポンプ部側端面１０ｂよりも若干ポンプ部側へ突出し、ポンプ部２のケーシング３に設けられたキャップ部３ａが被冠されている。
【００２６】
筒体１４は、薄肉有底円筒状に形成されておりその底面１４ａからは固定軸１３が開口部側へ略垂直に延びている。コア１１及び回転子１２はそれぞれ筒体１４の外周側と内周側とに固定軸１３と同軸的に配設される態様で分離されている。
【００２７】
なお、筒体１４の内周側はポンプ部２のポンプ室６の反ポンプ部側に形成されたポンプ部開口部６ａによってポンプ室６と連通しており、ポンプ部２で圧送される流体はポンプ部開口部６ａから筒体１４の内部に流入する（図１参照）。すなわち、筒体１４の外周側に配設されるコア１１は流体と接触することなく、回転子１２はポンプ室６内の流体に充填された筒体１４の内周側に配設される。
【００２８】
また、筒体１４の内周壁１４ｂと回転子１２との間、及び、回転子１２の端面１２ａとハウジング１０の底面１４ａの間には径方向において若干の隙間１４ｃが設けられており、回転子１２は筒体１４及び底面１４ａとは接触することなく固定軸１３のみに支持されている。なお、図１図示状態では、回転子１２の径方向において筒体１４との間隔が広く描かれているが実際はこの間隔は狭くなっている。
【００２９】
回転子１２は、そのポンプ部側の端面にハウジング１０からポンプ部側へ突出する態様でインペラ７が形成されており回転子１２の回転に伴ってインペラ７も回転する。
次に、回転子１２の構成について詳しく説明する。図２は図１においてハウジング１０及びケーシング３を除いたキャンドモータ１の一部断面図である。
【００３０】
図２に示すように、回転子１２は、略円柱状に形成されたマグネット支持部２０と、回転子１２を回転可能に支持するポンプ部側軸受２１及び反ポンプ部側軸受２２と、ポンプ部側軸受２１と反ポンプ部側軸受２２と同軸的に配設される循環用インペラ２３とを備えている。
【００３１】
マグネット支持部２０は、その外周側に周方向に等間隔でコア１１に対向する態様でマグネット２０ａが固定されている。また、その略中央には固定軸１３を包囲する態様で形成された流通経路２４が形成されている。すなわち、回転子１２の両端面はマグネット支持部２０に形成された流通経路２４によって軸方向に貫かれている。なお、図１では省略したがキャップ部３ａと回転子１２との間には若干の隙間が存在し、流通経路２４からポンプ室６へ流体が流出する。
【００３２】
流通経路２４のポンプ部側と反ポンプ部側には、流通経路２４の側面をさらに凹設して形成されたポンプ部側軸受収容部２４ａ及び反ポンプ部側軸受収容部２４ｂがそれぞれ形成されている。ポンプ部側軸受収容部２４ａ及び反ポンプ部側軸受収容部２４ｂにはそれぞれ回転支持部としてのポンプ部側軸受２１及び反ポンプ部側軸受２２が収容される。
【００３３】
ポンプ部側軸受２１及び反ポンプ部側軸受２２は、その内周面２１ａ、２２ａにおいて固定軸１３に当接し回転子１２と一体回転する。回転子１２はポンプ部側軸受２１及び反ポンプ部側軸受２２の内周面２１ａ、２２ａによって固定軸１３の径方向への移動が規制される。すなわち、本実施形態においては、ポンプ部側軸受２１及び反ポンプ部側軸受２２の内周面２１ａ、２２ａが回転子１２の潤滑面となり、流通経路２４内にポンプ部側軸受２１及び反ポンプ部側軸受２２が収容されることにより潤滑面が回転子１２の軸方向幅内に配設される。なお、ポンプ部側軸受２１及び反ポンプ部側軸受２２とを内周面２１ａ、２２ａにおいて固定軸１３に固定し、外周面を潤滑面としてもよい。
【００３４】
ポンプ部側軸受２１及び反ポンプ部側軸受２２の内周面２１ａ、２２ａには、図３（ａ）及び（ｂ）に示すように、両端面を連通する態様で軸方向に延びる４本の溝２５が形成されている。
【００３５】
また、流通経路２４の反ポンプ部側軸受収容部のポンプ部側には、インペラ収容部２４ｃが形成されており循環用インペラ２３が回転子１２に圧入固定されている。
循環用インペラ２３は、ポンプ部側軸受収容部２４ａ及び反ポンプ部側軸受収容部２４ｂの間に同軸的に配設される。
【００３６】
循環用インペラ２３は、図４（ａ）及び（ｂ）に示すように、略円筒状に形成されており、その内周壁２３ａには径方向内側に突出する態様で形成された４枚の羽根２６が形成されている。羽根２６は、循環用インペラ２３の軸方向において固定軸１３に対して平行に延びており固定軸１３を中心として放射線状に配設されている。
【００３７】
なお、固定軸１３（ハウジング１０）に対する回転子１２の軸方向への移動は、インペラ７がキャップ部３ａ（実際にはインペラ７を支持するポンプ部側軸受２１とキャップ部３ａ）とが当接することによって規制される。
【００３８】
次に、図１に基づいて本実施形態に係るキャンドモータポンプにおける流体の循環態様について説明する。
キャンドモータに通電されることによりキャンドモータ１のインペラ７が回転する。
【００３９】
インペラ７が回転することによりポンプ部２の吸入口４から流体がポンプ室６内に流入し、インペラ７の遠心力により吐出口５から流体が吹出される。
ポンプ室６内に流入した流体は、ポンプ部開口部６ａからキャンドモータ１の隙間１４ｃを経てポンプ部側軸受２１及び反ポンプ部側軸受２２に形成された溝２５から回転子１２の流通経路２４内に浸入する。このとき、ポンプ部側軸受２１及び反ポンプ部側軸受２２は、溝２５に浸入した流体が潤滑面に供給されることにより潤滑が維持される。すなわち、回転子１２の回転を支持するポンプ部側軸受２１及び反ポンプ部側軸受２２の潤滑は流通経路２４内に浸入する流体によって維持され、流通経路２４内の流体を循環させることによりポンプ部側軸受２１及び反ポンプ部側軸受２２周辺の加熱された流体が排除される。
【００４０】
流通経路２４内に配設された循環用インペラ２３は回転子１２と一体回転するため流通経路２４に浸入した流体は循環用インペラ２３によって軸方向に圧送される。なお、本実施形態においては、反ポンプ部側軸受２２と循環用インペラ２３とが近接しているため、循環用インペラ２３によって圧送された流体は主にポンプ部側へ流れる。
【００４１】
ポンプ部側へ圧送された流体はポンプ部側軸受２１の溝２５からキャップ部３ａと回転子１２との隙間（図示略）を介してポンプ室６へ排出される。
上記したように、本実施形態によれば、以下の効果を奏することができる。
【００４２】
（１）回転子１２が流通経路２４によって流体の流路が広くなるため流体の損失抵抗が軽減され流体が軸方向に流れやすくなり、回転子１２とともに回転する循環用インペラ２３に作用する流体の圧送に対する抵抗が低減される。よって、キャンドモータ１に要求される回転子１２の回転に対する負荷が低減され、筒体１４内の流体を効率よく循環させることができる。
【００４３】
（２）循環用インペラ２３が流通経路２４内に配設されるため、回転子１２に妨げられることなく流体を軸方向に圧送することができる。よって、流体を循環させるために要求される負荷を低減することに貢献することができる。また、圧送された流体が回転子１２に妨げられないため、回転子１２の軸方向両側にある回転支持部としてのポンプ部側軸受２１及び反ポンプ部側軸受２２を均等に冷却することに貢献することができる。また、循環用インペラ２３は回転子の軸方向幅内に配設されるため循環用インペラ２３を回転子１２の軸方向に配設した場合と比較してキャンドモータ１を短尺化することが可能となりキャンドモータポンプの小型化に貢献することができる。また、回転子１２の軸方向に循環用インペラ２３を配設したものと比較して循環経路が短尺化されるため流体の損失抵抗が低減され、キャンドモータ１の負荷を低減させることができる。
【００４４】
（３）回転支持部としてのポンプ部側軸受２１及び反ポンプ部側軸受２２が循環用インペラ２３とともに流通経路内に配設される。よって、循環用インペラ２３によって圧送される流体を回転子１２の回転面の影響を与えることなくポンプ部側軸受２１及び反ポンプ部側軸受２２に直接供給することができる。また、ポンプ部側軸受２１及び反ポンプ部側軸受２２が回転子１２の軸方向幅内に配設されるためキャンドモータ１の短尺化が可能となり、キャンドモータポンプの小型化に貢献することができる。
【００４５】
（４）溝２５が形成されるため、潤滑面としての内周面２１ａ、２２ａにおいても軸方向に流体を循環させることが可能となる。よって、潤滑面の冷却が促進され潤滑面の潤滑性を向上することができる。また、潤滑面に侵入した異物を排出することが可能となり、潤滑面における異物の噛み込みの発生を妨げることに貢献することができる。
【００４６】
（５）溝２５は固定軸１３に対して平行に形成されるため加工が容易である。
尚、本発明の実施形態は、以下のように変更してもよい。
○循環用インペラ２３は上記実施形態に示したような軸方向に平行に延びて形成された羽根２６を持つものに変えて、図７（ａ）及び（ｂ）に示すように螺旋状の羽根２６ａを持つ循環用インペラ２７や、図８（ａ）及び（ｂ）に示すように軸方向に対して傾斜させた羽根２６ｂを持つ循環用インペラ２８を用いても良い。
【００４７】
このような構成によれば、循環用インペラ２７，２８によって吸入側では負圧を発生させ、吐出側では正圧を発生させることができるため流体を循環させることが可能となる。よって、回転支持部の冷却が促進され潤滑性が向上し、ポンプ部側軸受２１及び反ポンプ部側軸受２２に流体の循環を促すための加工が不要となりポンプ部側軸受２１及び反ポンプ部側軸受２２を容易に形成することができる。また、回転子１２の軸方向幅内においても同一方向に流体の循環を促すことが可能となり、流体の損失抵抗が低減されキャンドモータ１の負荷を低減させることができる。また、循環用インペラ２７，２８によって流体の循環が促されるため回転子１２の軸方向に循環用インペラを配設する必要がなくなる。なお、羽根２６の枚数は一枚であってもよく適宜変更可能である。
【００４８】
○ポンプ部側軸受２１及び反ポンプ部側軸受２２の内周面２１ａ、２２ａに形成された溝２５は上記実施形態に示したような軸方向に平行に延びて形成されたものに限定されない。例えば、図５に示すように螺旋状の溝２５ａを有する軸受２９や、図６（ａ）及び（ｂ）に示すように軸方向に対して傾斜させた溝２５ｂを有する軸受３０を用いても良い。
【００４９】
このような構成によれば、内周面２９ａ、３０ａの流体の循環が促されるため内周面２９ａ、３０ａ上にある摩擦熱などによって加熱された流体を排除することが可能となり潤滑性の向上に貢献することができる。また、内周面２９ａ、３０ａに侵入した異物の排出が促進されるため、潤滑面における噛み込みの発生を妨げることができる。また、螺旋状や傾斜させることにより潤滑面に対して流体を供給する面積が増加するため潤滑性を向上させることができる。なお、溝２５，２５ａ，２５ｂの本数は一本でもよく、その本数は適宜変更可能である。また、ポンプ部側軸受２１及び反ポンプ部側軸受２２の何れか一方のみに溝が形成されているものや、ポンプ部側軸受２１及び反ポンプ部側軸受２２に形成された溝の形状が異なっていてもよい。
【００５０】
○上記実施形態において、ポンプ部側軸受２１及び反ポンプ部側軸受２２が回転子１２の軸方向幅内に配設されているがこのような態様に限らずポンプ部側軸受２１及び反ポンプ部側軸受２２の何れか一方を回転子１２の軸方向幅内に収容することによっても上述した（３）と同様軸方向において短尺化することに貢献することができる。
【００５１】
また、ポンプ部側軸受２１及び反ポンプ部側軸受２２を回転子１２の軸方向幅内に収容しなければ流通経路２４がポンプ部側軸受２１及び反ポンプ部側軸受２２によってふさがれないため流路がさらに広くなり、上述した（１）及び（２）の効果はさらに顕著に表れると考えられる。なお、この場合の構成としては例えば循環用インペラ２３の径方向内側に固定軸１３に当接する回転支持部を有する環状部材を配設するなど、回転子１２を固定軸１３に対して支持するための構成が考えられる。
【００５２】
○上記実施形態において、キャンドモータポンプにおける流体の循環経路はポンプ室６のポンプ部開口部６ａから筒体１４内に浸入し、流通経路２４内を反ポンプ部側からポンプ部側へ流れるものとしたがこのような態様に限定されない。例えば、流通経路２４内をポンプ部側から反ポンプ部側へ流れるものであってもよい。
【００５３】
○上記実施の形態においては、回転子１２の端面にインペラ７が形成されているがこのような態様に限定されず、回転子１２の回転にともなってインペラ７が回転する構成であれば適宜変更可能である。
【００５４】
○上記実施形態では、回転支持部としてポンプ部側軸受２１及び反ポンプ部側軸受２２が配設されているがこのような構成に限らず、例えば回転子１２とポンプ部側軸受２１及び反ポンプ部側軸受２２とが一体的に構成されていてもよい。
【００５５】
○上記実施形態では、ケーシング３のキャップ部３ａは回転子１２（インペラ７）の軸方向への移動を規制しているが、固定軸１３の支持構造はこのようなものに限定されない。例えば、固定軸１３はケーシング３とハウジング１０とによって両端から支持されていてもよい。
【００５６】
○上記実施形態では、潤滑面（内周面２１ａ、２２ａ）に溝２５を形成したが、潤滑面以外（例えば、軸受２１，２２の外周面）に溝が形成されていてもよい。このような構成によれば溝が流体の流路となり流体をより効率よく循環させることができる。
【図面の簡単な説明】
【００５７】
【図１】本実施形態に係るキャンドモータポンプの一部断面図。
【図２】本実施形態に係るキャンドモータの一部断面図。
【図３】（ａ）本実施の形態に係るキャンドモータの側面図、（ｂ）本実施の形態に係るキャンドモータの平面図。
【図４】（ａ）本実施の形態に係るキャンドモータの平面図、（ｂ）本実施の形態に係るキャンドモータの斜視図。
【図５】本実施の形態の別例を示す側面図。
【図６】（ａ）本実施の形態の別例の側面図、（ｂ）本実施の形態の別例の平面図。
【図７】（ａ）本実施の形態の別例の平面図、（ｂ）本実施の形態の別例の斜視図。
【図８】（ａ）本実施の形態の別例の平面図、（ｂ）本実施の形態の別例の斜視図。
【符号の説明】
【００５８】
１…キャンドモータ、２…ポンプ部、６…ポンプ室、７…インペラ、１１…固定子としてのコア、１１ａ…巻線、１２…回転子、１２ａ…端面、１３…固定軸、１４…筒体、２１ａ，２２ａ，２９ａ，３０ａ…潤滑面としての内周面、２３，２７，２８…循環用インペラ、２４…流通経路、２５，２５ａ，２５ｂ…溝。
【図１】
2006214407.tif 000003
【図２】
2006214407.tif 000004
【図３】
2006214407.tif 000005
【図４】
2006214407.tif 000006
【図５】
2006214407.tif 000007
【図６】
2006214407.tif 000008
【図７】
2006214407.tif 000009
【図８】
2006214407.tif 000010